(57)【要約】【課題】ボイド型枠のずれを防ぎながら、その浮き上がりを確実に防止する。【解決手段】複数の上端筋２及び複数の下端筋３が上下に間隔をもって組まれることによって形成される隙間にボイド型枠４０を設置するコンクリートボイドスラブにおいて、ボイド型枠４０の上に押さえ部材１０を、複数の上端筋２と上部補助筋５に対してその上下を縫うように配置する。【選択図】図１
2018048514.tif 000002
【特許請求の範囲】
【請求項１】
複数の上部筋及び複数の下部筋が上下に間隔をもって組まれることによって形成される隙間にボイド型枠を設置するコンクリートボイドスラブにおいて、
上記ボイド型枠の上に押さえ部材が設けられ、該押さえ部材が複数の上部筋に対してその上下を縫うように配置されている
ことを特徴とするコンクリートボイドスラブ。
【請求項２】
複数の上端筋及び複数の下端筋が上下に間隔をもって組まれることによって形成される隙間にボイド型枠を設置するコンクリートボイドスラブにおいて、
上記上端筋と上記下端筋によって形成される格子に上記ボイド型枠が設置され、
上記ボイド型枠の上には補助筋が設置されると共に、押さえ部材が上記上端筋と補助筋に対してその上下を縫うように配置されている
ことを特徴とするコンクリートボイドスラブ。
【請求項３】
請求項２に記載のコンクリートボイドスラブにおいて、
上記押さえ部材が、上記補助筋の下で且つ上記上端筋の上に配置されている
ことを特徴とするコンクリートボイドスラブ。
【請求項４】
複数の上部筋及び複数の下部筋が上下に間隔をもって組まれることによって形成される隙間にボイド型枠を設置するコンクリートボイドスラブにおいて、
上記ボイド型枠の上に押さえ部材が設けられ、該押さえ部材が複数の上部筋に対して固定されている
ことを特徴とするコンクリートボイドスラブ。
【請求項５】
請求項１〜４のいずれか１つに記載のコンクリートボイドスラブに使用するボイド型枠の押さえ部材であって、
上記ボイド型枠の配列方向に延びる一対の連結部と、該配列方向に交わる方向に延びる横渡部とを備えている
ことを特徴とするボイド型枠の押さえ部材。
【請求項６】
請求項５に記載のボイド型の押さえ部材において、
上記横渡部は、上記ボイド型枠に食い込む突起部を備えている
ことを特徴とするボイド型枠の押さえ部材。
【請求項７】
上端筋及び下端筋が組まれることによって形成される隙間にボイド型枠を設置するコンクリートボイドスラブの構築方法において、
上記上端筋及び下端筋を格子状に組み、
上記上端筋及び下端筋によって形成される隙間にボイド型枠を設置し、
押さえ部材を上記上端筋及びボイド型枠の上に設置し、
さらに上記押さえ部材の上に補助筋を設置し、
上記補助筋をコンクリート型枠にアンカー止めする
ことを特徴とするコンクリートスラブの構築方法。
【発明の詳細な説明】
【技術分野】
【０００１】
本発明は、上下端筋間に軽量ボイド型枠を配置したコンクリートボイドスラブ、ボイド型枠の押さえ部材及びコンクリートボイドスラブの構築方法に関する。
【背景技術】
【０００２】
この種のコンクリートボイドスラブとして、鉄筋で組まれる格子内に軽量のボイド型枠を埋設したコンクリートボイドスラブが知られている。
【０００３】
例えば、特許文献１にはボイド型枠が浮き上がらないようにするための浮力押さえ部材が設けられている。この浮力押さえ部材は、鉄筋を梯子状に組んだもので、上端筋の上に設置され、番線で上端筋に固定されている。
【０００４】
また、特許文献２のように、ボイド型枠の上面中央に溝が形成され、その溝に補助筋を押さえ付けるコンクリートボイドスラブが知られている。このコンクリートボイドスラブでは、補助筋によりボイド型枠の浮き上がりの防止を図っている。
【先行技術文献】
【特許文献】
【０００５】
【特許文献１】特開２００７−１１３３５７号
【特許文献２】特開２０１５−１０８２７３号
【発明の概要】
【発明が解決しようとする課題】
【０００６】
しかしながら、上記特許文献１のような浮力押さえ部材を多数箇所で上端筋に対して固定するのは非常に面倒である。
【０００７】
また、特許文献２の構造は十分有効なものであるが、例えば、コンクリート打設前に作業員が歩くなどによって何らかの外力がかかると、ボイド型枠がずれたり、回転したりするおそれがあり、更なる改良の余地がある。
【０００８】
本発明は、かかる点に鑑みてなされたものであり、その目的とするところは、ボイド型枠のずれを防ぎながら、その浮き上がりを確実に防止することにある。
【課題を解決するための手段】
【０００９】
上記課題を達成するため、この発明は、メインの鉄筋とは別にボイド型枠を押さえる押さえ部材を設けた。
【００１０】
第１の発明では、複数の上部筋及び複数の下部筋が上下に間隔をもって組まれることによって形成される隙間にボイド型枠を設置するコンクリートボイドスラブを前提とする。
【００１１】
そして、上記コンクリートボイドスラブは、
上記ボイド型枠の上に押さえ部材が設けられ、該押さえ部材が複数の上部筋に対してその上下を縫うように配置されている。
【００１２】
上記の構成によると、押さえ部材を上部筋に対し、その上下を縫うように配置しているので、押さえ部材がしっかりと固定され、その結果として上部筋と押さえ部材による相乗効果により、ボイド型枠が確実に固定される。これは、押さえ部材のみがボイド型枠を直接押さえ付けている場合でも同様である。また、押さえ部材がボイド型枠を覆うので、その保護材の役割も果たす。さらに押さえ部材を上部筋に対して縫うように設けているので、押さえ部材を番線などで固定する手間が省ける。なお、上部筋は、後述の上端筋だけでなく、上側の補助筋を含み、下部筋は、下端筋だけでなく、下側の補助筋を含む。
【００１３】
第２の発明では、複数の上端筋及び複数の下端筋が上下に間隔をもって組まれることによって形成される隙間にボイド型枠を設置するコンクリートボイドスラブを前提とする。
【００１４】
そして、コンクリートボイドスラブは、
上記上端筋と上記下端筋によって形成される格子に上記ボイド型枠が設置され、
上記ボイド型枠の上には補助筋が設置されると共に、押さえ部材が上記上端筋と補助筋に対してその上下を縫うように配置されている。
【００１５】
上記の構成によると、押さえ部材を補助筋及び上端筋に対し、その上下を縫うように配置しているので、押さえ部材がしっかりと固定され、その結果として補助筋と押さえ部材による相乗効果により、ボイド型枠が確実に固定される。また、押さえ部材がボイド型枠を覆うので、その保護材の役割も果たす。さらに押さえ部材を補助筋及び上端筋に対して縫うように設けているので、押さえ部材を番線などで固定する手間が省ける。
【００１６】
第３の発明では、第２の発明において、
上記押さえ部材が、上記補助筋の下で且つ上記上端筋の上に配置されている。
【００１７】
上記の構成によると、押さえ部材が補助筋を設けるときに補助筋によって押さえ付けられるので、押さえ部材自体も補助筋によって固定される。このため、押さえ部材の固定の手間を最小限とすることができる。
【００１８】
第４の発明では、
複数の上部筋及び複数の下部筋が上下に間隔をもって組まれることによって形成される隙間にボイド型枠を設置するコンクリートボイドスラブにおいて、
上記ボイド型枠の上に押さえ部材が設けられ、該押さえ部材が複数の上部筋に対して固定されている。
【００１９】
上記の構成によると、押さえ部材を上部筋の上から設置することで、上部筋と押さえ部材による相乗効果により、ボイド型枠が確実に固定される。また、押さえ部材がボイド型枠を覆うので、その保護材の役割も果たす。押さえ部材は、番線などで上部筋に固定しなければならないが、上部筋の上から被せるように設けるので、設置自体は容易である。
【００２０】
第５の発明では、第１〜第４のいずれか１つに記載のコンクリートボイドスラブに使用するボイド型枠の押さえ部材であって、
上記ボイド型枠の配列方向に延びる一対の連結部と、該配列方向に交わる方向に延びる横渡部とを備えている。
【００２１】
上記の構成によると、必要且つ最小限の構成であるため、押さえ部材の材料費が安くて済み、また、一対の連結部と横渡部とが一体であるので、その設置が容易である。
【００２２】
第６の発明では、第５の発明において、
上記横渡部は、上記ボイド型枠に食い込む突起部を備えている。
【００２３】
上記の構成によると、ボイド型枠のコンクリート打設時の浮き上がり防止効果がより一層増す。
【００２４】
第７の発明では、
上端筋及び下端筋が組まれることによって形成される隙間にボイド型枠を設置するコンクリートボイドスラブの構築方法を前提とし、
上記構築方法は、
上記上端筋及び下端筋を格子状に組み、
上記上端筋及び下端筋によって形成される隙間にボイド型枠を設置し、
押さえ部材を上記上端筋及びボイド型枠の上に設置し、
さらに上記押さえ部材の上に補助筋を設置し、
上記補助筋をコンクリート型枠にアンカー止めする構成とする。
【００２５】
上記の構成によると、押さえ部材を補助筋及び上端筋に対し、その上下を縫うように配置しているので、押さえ部材がしっかりと固定され、その結果として補助筋と押さえ部材による相乗効果により、ボイド型枠が確実に固定される。また、押さえ部材がボイド型枠を覆うので、その保護材の役割も果たす。さらに押さえ部材を補助筋及び上端筋に対して縫うように設けているので、押さえ部材を番線などで固定する手間が省ける。
【発明の効果】
【００２６】
以上説明したように、本発明によれば、ボイド型枠の上に、押さえ部材を複数の上部筋に対してその上下を縫うように配置したので、ボイド型枠のずれを防ぎながら、その浮き上がりを確実に防止することができる。
【図面の簡単な説明】
【００２７】
【図１】本発明の実施形態に係るコンクリートボイドスラブが嵌め込まれた床型枠を示す斜視図である。
【図２】（ａ）は（ｂ）のIIa−IIa線断面図であり、（ｂ）は図１の床型枠の一部を拡大して示す平面図である。
【図３】軽量ボイド型枠の一例を示し、（ａ）は斜視図、（ｂ）は正面図、（ｂ）は側面図である。
【図４】軽量ボイド型枠の他例を示し、（ａ）は平面図、（ｂ）は正面図、（ｂ）は側面図である。
【図５】軽量ボイド型枠のさらに他例を示し、（ａ）は平面図、（ｂ）は正面図、（ｂ）は側面図である。
【図６】軽量ボイド型枠のさらに他例を示し、（ａ）は平面図、（ｂ）は正面図、（ｂ）は側面図である。
【図７】軽量ボイド型枠のさらに他例を示し、（ａ）は平面図、（ｂ）は正面図、（ｂ）は側面図である。
【図８】軽量ボイド型枠のさらに他例を示し、（ａ）は平面図、（ｂ）は正面図、（ｂ）は側面図である。
【図９】押さえ部材を示す正面図である。
【図１０】押さえ部材を示す底面図である。
【図１１】押さえ部材を示す側面図である。
【図１２】横渡部と連結部との溶接部を拡大して示す斜視図である。
【図１３】本発明の実施形態の変形例に係る押さえ部材を示す図１１相当側面図である。
【発明を実施するための形態】
【００２８】
以下、本発明の実施形態を図面に基づいて説明する。
【００２９】
−コンクリートボイドスラブの構成−
図１及び図２に示すように、本発明の実施形態にかかるコンクリートボイドスラブは、床型枠１に、格子状の上端筋２と同じく格子状の下端筋３が上下に間隔をもって並行に設けられ、その上端筋２と下端筋３との間に軽量ボイド型枠４０が配置されて、コンクリートＣが打設されたコンクリートボイドスラブである。
【００３０】
このコンクリートボイドスラブにおいて、図３〜図８に示すボイド型枠４０ａ，４０ｂ，４０ｃ，４０ｄ，４０ｅ，４０ｆ（以下、総称符号を４０とする）が、その格子状の上端筋２と格子状の下端筋３で形成された小空間Ｓ内に適宜に配置される。ボイド型枠４０の材質は、従来と同様な軽量なものを適宜に使用すればよいが、例えば、発泡スチロールとする。
【００３１】
このボイド型枠４０は、例えば図３等に示すように、上下面４１ａ，４１ｂと側面４２ａ，４２ｂ，４２ｃ，４２ｄとを有し、四方からの側面視が全てほぼ八角形となっており、平面視（上から見ると）、長方形を呈する。
【００３２】
上下面４１ａ，４１ｂは平面視で両端がカットされた楕円形で、各側面４２ａ，４２ｂ，４２ｃ，４２ｄとは上部傾斜面４３ａ、下部傾斜面４３ｂで連結されている。このように、四方からの側面視が全て八角形、平面視、両端がカットされた楕円形、上部傾斜面４３ａ、下部傾斜面４３ｂとなっていることによって、このボイド型枠４０は、正面視、楕円や、辺と円弧からなるほぼフラットオーバル形と言うことができる。
【００３３】
また、上下面４１ａ，４１ｂには、固定用の上部補助筋５又は下部補助筋６を受け入れる上溝４４ａ及び下溝４４ｂがそれぞれ形成されている。下部補助筋６を受け入れる下面４１ｂの下溝４４ｂは十字状となっている。その下面４１ｂは、中央部が水平面となっているが、長手方向の上溝４４ａに沿って中央部が徐々に盛り上がって水平面を有さずに下部傾斜面４３ｂに連結する曲面（縦断面下縁が曲線）とすることができる。このとき、その曲面はフラット斜面（縦断面下縁が直線）とすることもできる。なお、この上部補助筋５と上端筋２とを合わせて上部筋と言い、下側の下部補助筋６と下端筋３とを合わせて下部筋と言う。
【００３４】
そして、本実施形態では、ボイド型枠４０の上に押さえ部材１０が設けられ、この押さえ部材１０が複数の上端筋２と上部補助筋５とに対してその上下を縫うように配置されている。ここで、「縫うように配置」とは、本実施形態のように複数の上端筋２や上部補助筋５と上側からの接触及び下からの接触があるような配置を言う。図９〜図１２に示すように、押さえ部材１０は、ボイド型枠４０の配列方向に延びる一対の連結部１０ｂと、配列方向に交わる横渡部１０ａとを備えている。ここでは、配列方向は、ボイド型枠４０の幅方向としている。また、横渡部１０ａは、一対の連結部１０ｂに対して垂直に交わっているが、斜めに交わっていてもよい。横渡部１０ａは、ボイド型枠４０の長手方向を上から押圧する部分で、長尺の連結部１０ｂに対して溶接されている。一対の連結部１０ｂもボイド型枠４０の上面を押さえ付けている。横渡部１０ａは、連結部１０ｂの下側に配置しても上側に配置してもよい。下側に来るようにすれば、スポット溶接１０ｃに浮力が加わった場合に連結部１０ｂでも荷重を支持できる点では有利である。例えば、ステンレス、アルミ、スチールなどの金属線材をスポット溶接した金網を切断して形成した押さえ部材１０が使用される。押さえ部材１０は、例えば、汎用の１００ｃｍ×２００ｃｍの汎用の金網を５等分に切断したもので構成してもよい。そうすれば、必要且つ最小限の構成であるため、押さえ部材の材料費が安くて済み、また、横渡部１０ａと連結部１０ｂとが一体であるので、その設置が容易である。
【００３５】
軽量ボイド型枠４０の長さＬ、同幅Ｗ、同高さＨ（図３等参照）は、上記小空間Ｓ内にちょうど収まる程度とする。そのため、配置する箇所の鉄筋量が多い場合は、その分、小空間Ｓも小さくなるため、その長さ、幅を小さくしたボイド型枠４０を使用する。
【００３６】
例えば、ボイド型枠４０の大きさは、
図３に示すボイド型枠４０ａ：正面左右長さＬ＝３８０ｍｍ、平面幅Ｗ＝２３０ｍｍ、高さＨ＝２４５ｍｍ、
図４に示すボイド型枠４０ｂ：同Ｌ＝３４０ｍｍ、同Ｗ＝１９０ｍｍ、同Ｈ＝１５０ｍｍ、
図５に示すボイド型枠４０ｃ：同Ｌ＝３００ｍｍ、同Ｗ＝１９０ｍｍ、同Ｈ＝１５０ｍｍ、
図６に示すボイド型枠４０ｄ：同Ｌ＝３８０ｍｍ、同Ｗ＝２３０ｍｍ、同Ｈ＝１５０ｍｍ、
図７に示すボイド型枠４０ｅ：同Ｌ＝３００ｍｍ、同Ｗ＝１９０ｍｍ、同Ｈ＝２４５ｍｍ、
図８に示すボイド型枠４０ｆ：同Ｌ＝３４０ｍｍ、同Ｗ＝１９０ｍｍ、同Ｈ＝２４５ｍｍ等となる。
【００３７】
−コンクリートボイドスラブの施工方法−
つぎに、このボイド型枠４０を使用したコンクリートボイドスラブの施工方法について説明する。
【００３８】
まず、コンクリート型枠としての床型枠１に、下端筋３を格子状に配置するとともに、下端筋３間に十字状に下部補助筋６を配置する。そして、上端筋２を同じく格子状に配置する。このとき、スラブ応力が大きくなる箇所、例えば、スラブ端部（梁際）には、上端筋２の量を増やして配筋する。鉄筋（上下筋２、３）同士は所定の間隔を開ける必要があるため、上端筋２の量を増やした箇所（端部）だけ、ボイド型枠４０の配置スペース（小空間Ｓ）が小さくなる（空間Ｓの幅が小さくなる）。
【００３９】
つぎに、下部補助筋６の上にボイド型枠４０を載せ、下溝４４ｂに下部補助筋６が入り込むようにする。このとき、ボイド型枠４０の下面は全周囲が中央部に向かって盛り上がる下部傾斜面４３ｂとなっているため、軽く上から押せば（荷重をかければ）、その下部傾斜面４３ｂに沿って下部補助筋６を下溝４４ｂに誘導させることができる。
【００４０】
そして、本発明の特徴として、押さえ部材１０を上端筋２及びボイド型枠４０の上に設置する。具体的には、横渡部１０ａが各ボイド型枠４０の上に来るように、連結部１０ｂを上端筋２に固定する。
【００４１】
さらに、ボイド型枠４０の上面の上溝４４ａに入り込むように押さえ部材１０の上から上部補助筋５を配置し、その上部補助筋５をＵ字フック（図示せず）でもって床型枠１に固定する。このとき、押さえ部材１０が、上部補助筋５の下で且つ上端筋２の上に配置されるようにしたので、押さえ部材１０が上部補助筋５を設けるときに上部補助筋５によって押さえ付けられ、押さえ部材１０自体も上部補助筋によって固定される。このため、押さえ部材１０の固定の手間を最小限とすることができる。
【００４２】
上端筋２、下端筋３、上部補助筋５、下部補助筋６は、針金などによって相互に結束してもよく、上記Ｕ字フック等の支持部材（図示せず）によって床型枠１に支持する（特許文献２図４等参照）。
【００４３】
以上の配筋２、３、５及びボイド型枠４０の配置が完了すれば、床型枠１上にコンクリートＣを打設する。このとき、ボイド型枠４０の下面周囲は外側から中央部に向かって上り下部傾斜面４３ｂとなっているため、コンクリートＣはそのボイド型枠４０下面内に円滑に入り込み（回り込み）、打設不良が生じるおそれは少ない。
【００４４】
このような配筋２、３、５、６、押さえ部材１０及びボイド型枠４０の配置とすれば、梁際だけ、コンクリート断面が増えるため、その打設コンクリート層（スラブ）の上下面をフラットに保ったまま、実質的にアーチ状のスラブを形成することができる。このアーチ状によって、スラブの振動性能、撓み性能が向上する。
【００４５】
このように、コンクリートボイドスラブを挟み込む上端筋２及び下端筋３だけでは、ボイド型枠４０を十分に押さえ付けられず、外力が加わるとボイド型枠４０が移動してしまうような場合であっても、押さえ部材１０を上端筋２及び上部補助筋５に対し、その上下を縫うように配置しているので、押さえ部材１０がしっかりと固定され、その結果として上端筋２及び上部補助筋５と押さえ部材１０による相乗効果により、ボイド型枠４０が確実に固定される。また、押さえ部材１０がボイド型枠４０を覆うので、その保護材の役割も果たす。さらに押さえ部材１０を上端筋２に対して縫うように設けているので、押さえ部材１０を番線などで固定する手間が省ける。
【００４６】
−実施形態の変形例−
図１３は本発明の実施形態の変形例に係る押さえ部材１１０を示し、横渡部１０ａの形状が異なる点で上記実施形態と異なる。なお、本変形例では、図１〜図１２と同じ部分については同じ符号を付してその詳細な説明は省略する。
【００４７】
上記実施形態では、上部補助筋５をボイド型枠４０の上面に固定する前に、押さえ部材１０をボイド型枠４０の上から配置し、その後、上部補助筋５を固定することで、上端筋２と上部補助筋５とで押さえ部材１０を編み込むようにしているが、上部補助筋５を設けた後に、押さえ部材１０を上から配置し、その押さえ部材１０を針金等にて上部補助筋５や上端筋２に固定するようにしてもよい。
【００４８】
このような場合、特に押さえ部材１０を上記実施形態の形状にするのではなく、図１３に示す押さえ部材１１０のように横渡部１０ａの先端を折り曲げて突起部１０ｄとしてもよい。このように構成し、突起部１０ｄをボイド型枠４０の上面に食い込ませることで、ボイド型枠４０のコンクリート打設時の浮き上がり防止効果をより一層向上させることができる。
【００４９】
このように押さえ部材１０を上端筋２の上から設置することで、上端筋２と押さえ部材１０による相乗効果により、ボイド型枠４０が確実に固定される。また、押さえ部材１０がボイド型枠４０を覆うので、その保護材の役割も果たす。押さえ部材１０は、番線などで上端筋２に固定しなければならないが、上端筋２の上から被せるように設けるので、設置自体は容易である。
【００５０】
なお、本変形例のような押さえ部材１１０を上記実施形態に適用してもよく、その場合は、上部補助筋５を設けた後、最後に突起部１０ｄをボイド型枠４０の上面に差し込むようにすればよい。上部補助筋５を設ける前に差し込んでおくと、上部補助筋５で押さえ付けるときに突起部１０ｄが抜けるおそれがあるためである。
【００５１】
（その他の実施形態）
本発明は、上記実施形態について、以下のような構成としてもよい。
【００５２】
すなわち、上記実施形態では、上端筋２、下端筋３の配置、本数、上部補助筋５、下部補助筋６の配置、数、ボイド型枠４０の大きさ、形状等の各一例を示したが、本発明は、１方向コンクリートスラブ及び２方向コンクリートスラブのどちらにおいても採用できることは勿論である。
【００５３】
上記実施形態では、配列方向をボイド型枠４０の幅方向としているが、ボイド型枠４０の長手方向としてもよい。その場合には、ボイド型枠４０の長手方向に一対の連結部１０ｂが延び、幅方向に横渡部１０ａが伸びるように押さえ部材１０が設けられる。
【００５４】
上記実施形態では、押さえ部材を横渡部と連結部とが一体となった形状としているが、板状、棒状、ベルト状等、ボイド型枠の浮き上がり防止が可能であればどのような形状であってもよい。例えば、横渡部を設けずに一対の連結部のみで構成してもよい。また、連結部は、一対としているが、場合によっては、１本や３本以上としてもよい。
【００５５】
また上記実施形態では、押さえ部材１０は、金網の一部で構成したが、材質も針金などではなく、合成樹脂製でもよい。合成樹脂であれば横渡部と連結部とを一体成形でき、コンクリートとの相性もよいものを製造できる。
【００５６】
なお、以上の実施形態は、本質的に好ましい例示であって、本発明、その適用物や用途の範囲を制限することを意図するものではない。
【符号の説明】
【００５７】
１      床型枠（コンクリート型枠）
２      上端筋（上部筋）
３      下端筋（下部筋）
５      上部補助筋（上部筋）
６      下部補助筋（下部筋）
１０      押さえ部材 
１０ａ    横渡部 
１０ｂ    連結部 
１０ｃ    スポット溶接 
１０ｄ    突起部 
４０，４０ａ，４０ｂ，４０ｃ，４０ｄ，４０ｅ，４０ｆ      ボイド型枠
４１ａ，４１ｂ  上下面
４２ａ，４２ｂ，４２ｃ，４２ｄ    側面
４３ａ    上部傾斜面
４３ｂ    下部傾斜面
４４ａ    上溝
４４ｂ    下溝
１１０      押さえ部材
【図１】
2018048514.tif 000003
【図２】
2018048514.tif 000004
【図３】
2018048514.tif 000005
【図４】
2018048514.tif 000006
【図５】
2018048514.tif 000007
【図６】
2018048514.tif 000008
【図７】
2018048514.tif 000009
【図８】
2018048514.tif 000010
【図９】
2018048514.tif 000011
【図１０】
2018048514.tif 000012
【図１１】
2018048514.tif 000013
【図１２】
2018048514.tif 000014
【図１３】
2018048514.tif 000015